(57)【要約】【課題】ＩＲブラスタから放射されたＩＲ信号の、ＴＶリモートコントロールユニットから放射されたＩＲ信号による干渉の除去を容易にするシステムおよび方法が提供される。【解決手段】テレビジョンシステムであって、テレビジョンと、該テレビジョンに連結されたＡＶデバイスであって、該ＡＶデバイスのＩＲ検出器の前で位置決めされた第一の偏光レンズを含む、ＡＶデバイスと、該テレビジョンに動作可能に連結されたリモートコントロールユニットであって、該リモートコントロールユニットのＩＲ放射器の前で位置決めされ、該第一の偏光レンズに対して反対の偏光を有する第二の偏光レンズを備える、リモートコントロールユニットと、該テレビジョンに連結され、該ＡＶデバイスの該ＩＲ検出器に動作可能に連結されたＩＲブラスタとを備える、テレビジョンシステム。【選択図】図２
2010063100.tif 000002
【特許請求の範囲】
【請求項１】
テレビジョンシステムであって、
テレビジョンと、
該テレビジョンに連結されたＡＶデバイスであって、該ＡＶデバイスのＩＲ検出器の前で位置決めされた第一の偏光レンズを含む、ＡＶデバイスと、
該テレビジョンに動作可能に連結されたリモートコントロールユニットであって、該リモートコントロールユニットのＩＲ放射器の前で位置決めされ、該第一の偏光レンズに対して反対の偏光を有する第二の偏光レンズを備える、リモートコントロールユニットと、
該テレビジョンに連結され、該ＡＶデバイスの該ＩＲ検出器に動作可能に連結されたＩＲブラスタと
を備える、テレビジョンシステム。
【請求項２】
前記テレビジョンは、ＩＲ検出器と、該ＩＲ検出器に連結されたＩＲリピータとを含む、請求項１に記載のテレビジョンシステム。
【請求項３】
前記テレビジョンと、前記ＩＲブラスタとに連結されたＩＲブラスタケーブルをさらに備える、請求項２に記載のテレビジョンシステム。
【請求項４】
前記ＩＲブラスタは、前記テレビジョンに無線で連結される、請求項１に記載のテレビジョンシステム。
【請求項５】
テレビジョンシステムであって、
テレビジョンと、
該テレビジョンに動作可能に連結されたリモートコントロールユニットであって、第一の偏光を有するＩＲ信号を放射するように構成された、リモートコントロールユニットと、
該テレビジョンに連結されたＩＲブラスタと、
該ＩＲブラスタのＩＲ放射器と、制御されるデバイスのＩＲ検出器との間で位置決め可能であり、該第一の偏光に対して反対の偏光を有する第一の偏光レンズと
を備える、テレビジョンシステム。
【請求項６】
前記テレビジョンは、ＩＲ検出器と、該ＩＲ検出器に連結されたＩＲリピータとを含む、請求項５に記載のテレビジョンシステム。
【請求項７】
前記テレビジョンと、前記ＩＲブラスタとに連結されたＩＲブラスタケーブルをさらに備える、請求項６に記載のテレビジョンシステム。
【請求項８】
前記ＩＲブラスタは、前記テレビジョンに無線で連結される、請求項５に記載のテレビジョンシステム。
【請求項９】
前記リモートコントロールユニットは、該リモートコントロールユニットのＩＲ放射器の前で該リモートコントロールユニットに連結された第二の偏光レンズを含む、請求項５に記載のテレビジョンシステム。
【請求項１０】
リモートコントロールユニットキットであって、
テレビジョンと、該テレビジョンに連結可能な１つ以上のＡＶデバイスとを制御するために、ＩＲ信号を送信するように構成可能な汎用のリモートコントロールユニットと、
該リモートコントロールユニットのＩＲ放射器の前で該汎用のリモートコントロールユニットに連結可能であり、第一の偏光を有する第一の偏光レンズと、
該１つ以上のＡＶデバイスのＩＲ検出器の前で位置決め可能な１つ以上の偏光レンズであって、該第一の偏光に対して反対の第二の偏光を有する、１つ以上の偏光レンズと
を備える、リモートコントロールユニットキット。
【請求項１１】
テレビジョンに連結された１つ以上のＡＶデバイスを制御する方法であって、
リモートコントロールユニットからテレビジョンのＩＲ信号検出器に対してＩＲ信号を送信するステップであって、該ＩＲ信号は、第一の偏光を有する、ステップと、
該テレビジョンの該ＩＲ信号検出器に連結されたＩＲリピータからＩＲブラスタケーブルをわたって該ＩＲ信号を送信するステップと、
該ＩＲブラスタケーブルに連結されたＩＲブラスタのＩＲ放射器から、該テレビジョンに連結されたＡＶデバイスのＩＲ検出器に対して該ＩＲ信号を放射するステップであって、該ＩＲ信号は、第二の偏光を有する、ステップと、
第一の偏光を有するＩＲ信号が、該ＡＶデバイスのＩＲ検出器に到達しないようにブロックするステップと
を包含する、方法。
【請求項１２】
前記ブロックするステップは、前記第一の偏光に対して反対の偏光を有する偏光レンズを通し、前記ＡＶデバイスのＩＲ検出器によって検出される光をフィルタリングするステップを含む、請求項１１に記載の方法。
【請求項１３】
前記第一の偏光を有するリモートコントロールユニットからＩＲ信号を送信するステップは、該ＩＲ信号を該第一の偏光を有する偏光レンズを通過させるステップを含む、請求項１１に記載の方法。
【発明の詳細な説明】
【技術分野】
【０００１】
本明細書中に記載される実施形態は、概して、テレビジョンと、それに連結されたオーディオビデオ（ＡＶ）デバイスとのリモートコントロールに関し、特に、接続されたＡＶデバイスにＩＲコマンドを送信するために、ＩＲブラスタを利用するシステムにおける赤外（ＩＲ）信号のクロストークの除去を容易にするシステムおよび方法に関する。
【背景技術】
【０００２】
（背景情報）
ほとんどのホームエンターテインメントシステムは、テレビジョンと、テレビジョンに連結された１つ以上のＡＶデバイス（例えば、ＤＶＤ、ケーブルボックス、ＶＣＲなど）とを含む。テレビジョンに連結されたＡＶデバイスの制御を簡単化し、ＩＲ信号または光ビームに埋め込まれたコマンドコードを放射するリモートコントロールユニットを用いるＡＶデバイスの制御に関連する視線の問題を除去するために、多くのシステムは、ＩＲブラスタ（ｂｌａｓｔｅｒ）ケーブルをわたってテレビジョンに連結されたＩＲブラスタを利用する。ブラスタケーブルは、単一のリモートコントロールの使用によるホームシアターの制御を簡単化するために用いられる。ＴＶまたはＩＲブラスタアセンブリ内の、単純なＩＲリピート動作またはより複雑なコード変換プロセスによって、単一のリモートコントロールが、ＡＶシステム全体を操作するために用いられ得る。そのような実装に対する代替案は、ユーザが異なるリモートコントロールを各ＡＶデバイスに対して利用するか、または様々なデバイスの間で複数のブランドのリモートコントロールを切り換えることである。しかしながら、このシステムによって提供された改善にもかかわらず、ユーザの特定の機器専用のリモートコントロールをユーザが用いることを選ぶときに、重要な問題が存在する。例えば、ＴＶがオフ状態にあり、ユーザがＣＤプレーヤを聴くことを選ぶ場合には、ＴＶが単に制御目的のためにオンにされる必要がないように、ＣＤプレーヤの直接的な制御が好適である。この場合には、ＣＤプレーヤに対するＩＲリモートコントロールが機能すべきである。
【０００３】
図１および図１Ａに描かれるように、テレビジョン１０は、コンポーネントの中でも特に、ＴＶリモートコントロールユニット３０から放射されたＩＲ信号３２を検出するために、ＩＲ信号検出器１１と、ＩＲブラスタケーブル１２をわたってＩＲブラスタ１４にＩＲ信号３２を送信するために、リピータ１３とを有する。ＩＲブラスタ１４は、好ましくはＡＶデバイス２０のＩＲ検出器２２の前で位置決めされ、リピート型（ｒｅｐｅａｔｅｄ）ＩＲ信号１６か、あるいはＴＶ内またはブラスタアセンブリ自体において、一方のフォーマットからもう一方のフォーマットにそのコード（ｃｏｄｉｎｇ）を変換されたＩＲ信号をブラスト（ｂｌａｓｔ）または放射する。ＩＲブラスタ１４から放射されたリピート型ＩＲ信号１６は、ＡＶデバイス２０のＩＲ検出器２２によって検出される。しかしながら、従来のシステムにおいては、ＩＲ検出器２２はまた、ＴＶリモートコントロールユニット３０によって放射されたＩＲ信号３２を検出する。結果として、ＴＶリモートコントロールユニット３０によって放射されたＩＲ信号３２は、ＩＲブラスタ１４によって放射されたリピート型または変換されたＩＲ信号１６と干渉し、ＡＶデバイス２０のエラーまたは誤動作を引き起こす。
【発明の概要】
【発明が解決しようとする課題】
【０００４】
従って、そのような干渉を除去するシステムおよび方法を提供することが望ましい。
【課題を解決するための手段】
【０００５】
（概要）
本明細書中に提供される実施形態は、ＩＲブラスタから放射されたＩＲ信号の、リモートコントロールユニットから放射されたＩＲ信号による干渉の除去を容易にするシステムおよび方法に向けられる。好適な一実施形態においては、テレビジョンに連結されているＡＶデバイスが、ＩＲブラスタケーブルをわたってテレビジョンによってリピートされ、送信されたＩＲ信号を受信し、右偏光子のレンズが、ＩＲ放射器の前でリモートコントロールユニットの前面に位置決めされ、そして左偏光子のレンズが、ＩＲ検出器の前でＡＶデバイスに位置決めされる。動作において、リモートコントロールユニットから放射されたＩＲビームは、リモコンの前面に位置決めされた右偏光子のレンズによって右偏光させられており、ＩＲ検出器の前でＡＶデバイス上に位置決めされた左偏光子のレンズによってブロックされる。ＩＲブラスタから放射されたＩＲビームは、ランダムに偏光されており、ほんのわずかな減衰で左偏光子のレンズを通過する。従って、リモートコントロールユニットにより放射されたＩＲ信号によって引き起こされていた干渉が結果として効果的に除去される。
【０００６】
実施形態例のその他のシステム、方法、特徴および利点は、以下の図面および詳細な説明の検討の際に、当業者に対して明らかであるかまたは明らかになる。
【０００７】
本発明は、さらに以下の手段を提供する。
（項目１）
テレビジョンシステムであって、
テレビジョンと、
該テレビジョンに連結されたＡＶデバイスであって、該ＡＶデバイスのＩＲ検出器の前で位置決めされた第一の偏光レンズを含む、ＡＶデバイスと、
該テレビジョンに動作可能に連結されたリモートコントロールユニットであって、該リモートコントロールユニットのＩＲ放射器の前で位置決めされ、該第一の偏光レンズに対して反対の偏光を有する第二の偏光レンズを備える、リモートコントロールユニットと、
該テレビジョンに連結され、該ＡＶデバイスの該ＩＲ検出器に動作可能に連結されたＩＲブラスタと
を備える、テレビジョンシステム。
（項目２）
上記テレビジョンは、ＩＲ検出器と、該ＩＲ検出器に連結されたＩＲリピータとを含む、上記項目のうちのいずれか一項目に記載のテレビジョンシステム。
（項目３）
上記テレビジョンと、上記ＩＲブラスタとに連結されたＩＲブラスタケーブルをさらに備える、上記項目のうちのいずれか一項目に記載のテレビジョンシステム。
（項目４）
上記ＩＲブラスタは、上記テレビジョンに無線で連結される、上記項目のうちのいずれか一項目に記載のテレビジョンシステム。
（項目５）
テレビジョンシステムであって、
テレビジョンと、
該テレビジョンに動作可能に連結されたリモートコントロールユニットであって、第一の偏光を有するＩＲ信号を放射するように構成された、リモートコントロールユニットと、
該テレビジョンに連結されたＩＲブラスタと、
該ＩＲブラスタのＩＲ放射器と、制御されるデバイスのＩＲ検出器との間で位置決め可能であり、該第一の偏光に対して反対の偏光を有する第一の偏光レンズと
を備える、テレビジョンシステム。
（項目６）
上記テレビジョンは、ＩＲ検出器と、該ＩＲ検出器に連結されたＩＲリピータとを含む、上記項目のうちのいずれか一項目に記載のテレビジョンシステム。
（項目７）
上記テレビジョンと、上記ＩＲブラスタとに連結されたＩＲブラスタケーブルをさらに備える、上記項目のうちのいずれか一項目に記載のテレビジョンシステム。
（項目８）
上記ＩＲブラスタは、上記テレビジョンに無線で連結される、上記項目のうちのいずれか一項目に記載のテレビジョンシステム。
（項目９）
上記リモートコントロールユニットは、該リモートコントロールユニットのＩＲ放射器の前で該リモートコントロールユニットに連結された第二の偏光レンズを含む、上記項目のうちのいずれか一項目に記載のテレビジョンシステム。
（項目１０）
リモートコントロールユニットキットであって、
テレビジョンと、該テレビジョンに連結可能な１つ以上のＡＶデバイスとを制御するために、ＩＲ信号を送信するように構成可能な汎用のリモートコントロールユニットと、
該リモートコントロールユニットのＩＲ放射器の前で該汎用のリモートコントロールユニットに連結可能であり、第一の偏光を有する第一の偏光レンズと、
該１つ以上のＡＶデバイスのＩＲ検出器の前で位置決め可能な１つ以上の偏光レンズであって、該第一の偏光に対して反対の第二の偏光を有する、１つ以上の偏光レンズと
を備える、リモートコントロールユニットキット。
（項目１１）
テレビジョンに連結された１つ以上のＡＶデバイスを制御する方法であって、
リモートコントロールユニットからテレビジョンのＩＲ信号検出器に対してＩＲ信号を送信するステップであって、該ＩＲ信号は、第一の偏光を有する、ステップと、
該テレビジョンの該ＩＲ信号検出器に連結されたＩＲリピータからＩＲブラスタケーブルをわたって該ＩＲ信号を送信するステップと、
該ＩＲブラスタケーブルに連結されたＩＲブラスタのＩＲ放射器から、該テレビジョンに連結されたＡＶデバイスのＩＲ検出器に対して該ＩＲ信号を放射するステップであって、該ＩＲ信号は、第二の偏光を有する、ステップと、
第一の偏光を有するＩＲ信号が、該ＡＶデバイスのＩＲ検出器に到達しないようにブロックするステップと
を包含する、方法。
（項目１２）
上記ブロックするステップは、上記第一の偏光に対して反対の偏光を有する偏光レンズを通し、上記ＡＶデバイスのＩＲ検出器によって検出される光をフィルタリングするステップを含む、上記項目のうちのいずれか一項目に記載の方法。
（項目１３）
上記第一の偏光を有するリモートコントロールユニットからＩＲ信号を送信するステップは、該ＩＲ信号を該第一の偏光を有する偏光レンズを通過させるステップを含む、上記項目のうちのいずれか一項目に記載の方法。
【０００８】
（摘要）
ＩＲブラスタから放射されたＩＲ信号の、リモートコントロールユニットから放射されたＩＲ信号による干渉の除去を容易にするシステムおよび方法が提供される。好適な一実施形態においては、テレビジョンに連結されているＡＶデバイスが、ＩＲブラスタケーブルをわたってテレビジョンによってリピートされ、送信されたＩＲ信号を受信し、右偏光子のレンズが、ＩＲ放射器の前でリモートコントロールユニットの前面に位置決めされ、そして左偏光子のレンズが、ＡＶデバイスのＩＲ検出器の前でＡＶデバイスに位置決めされる。動作において、リモートコントロールユニットから放射されたＩＲビームは、右偏光されており、左偏光子のレンズによってブロックされる。ＩＲブラスタから放射されたＩＲビームは、ランダムに偏光されており、ほんのわずかな減衰で左偏光子のレンズを通過する。
【図面の簡単な説明】
【０００９】
製作、構造および動作を含む、実施形態例の詳細は、添付の図面を考察することによって、その一部が見出され得る。添付の図面において、同様の参照番号は、同様のパーツを示す。図の中のコンポーネントは、必ずしも縮尺どおりではなく、その代わりに、本発明の原理を例示することに重点が置かれている。さらに、全ての図面は、概念を伝えることが意図されており、相対的なサイズ、形状およびその他の詳細な属性が、事実どおりまたは正確である代わりに、概略的に示されている。
【図１】図１は、テレビジョンに連結されたＡＶデバイスを有するテレビジョンの概略図である。
【図１Ａ】図１Ａは、図１に示されたテレビジョンのＩＲ検出器、ＩＲリピータおよびＩＲブラスタケーブルアセンブリの概略図である。
【図２】図２は、ＩＲビームの干渉を除去するために、リモートコントロールユニットとＡＶデバイスとに位置決めされた偏光レンズを有する、テレビジョンに連結されたＡＶデバイスを有するテレビジョンの概略図である。
【図２Ａ】図２Ａは、テレビジョンが、リモートコントロールユニットから放射されたＩＲ信号をリピートし、そして送信する図である。
【００１０】
例示目的のために、複数の図を通して、同様な構造または機能の要素が、概して同じ参照番号によって表されていることに留意されたい。図面は、好適な実施形態の説明を容易にすることのみが意図されていることにも留意されたい。
【発明を実施するための形態】
【００１１】
（詳細な説明）
以下で開示される追加的な特徴および教示のそれぞれが、システムおよび方法を作り出すために、単独にまたは他の特徴および教示と合わせて利用できることにより、テレビジョンとＡＶユニットとのリモートコントロールにおけるＩＲ信号の干渉を除去する。これらの追加的な特徴および教示の多くを、単独と組み合わせとの両方において利用する本発明の代表的な例が、ここで添付の図面を参照してさらに詳細に記載される。この詳細な説明は、単に本教示の好適な局面を実施するためのさらなる詳細を当業者に教示することを意図しており、本発明の範囲を限定することを意図していない。従って、以下の詳細な説明において開示される特徴およびステップの組み合わせは、最も広い意味において、本発明を実施することに必要でないことがあり得、代わりに、単に本教示の代表的な例を特に記載するために教示されている。
【００１２】
さらに、代表的な例および従属する特許請求の範囲の様々な特徴が、本教示の追加的で有用な実施形態を提供するために、具体的かつ明示的に列挙されない方法において組み合わせられ得る。さらに、説明および／または特許請求の範囲において開示されるすべての特徴が、最初の開示のために、ならびに実施形態および／または特許請求の範囲における特徴の構成物から独立な主張される主題を限定するために、互いに別個におよび独立して開示されることが意図されていることは特に注目される。すべての値の範囲またはエンティティのグループの指示が、最初の開示のために、ならびに主張される主題を限定するために、可能性のあるあらゆる中間の値または中間のエンティティを開示することもまた特に注目される。
【００１３】
本明細書中に記載されるシステムおよび方法は、テレビジョンと、テレビジョンに連結されたＡＶユニットとのリモートコントロールにおけるＩＲ信号干渉の除去に向けられる。そこでは、ＡＶユニットが、リモートコントロールユニットによって放射されたＩＲ信号と、ＡＶユニットのＩＲ検出器の前で位置決めされたＩＲブラスタに対してＩＲブラスタケーブルをわたってテレビジョンによってリピートされ、送信されたＩＲ信号とを受信する。
【００１４】
詳細について図を参照すると、図２は、テレビジョン１１０に連結されたＤＶＤなどのＡＶデバイス１２０の概略を示している。ＩＲブラスタ１１４は、ＡＶデバイス１２０のＩＲ検出器１２２の前で位置決めされる。ＩＲブラスタ１１４は、ＩＲブラスタケーブル１１２をわたってテレビジョン１１０に連結される。テレビジョン１１０は、図２Ａに示されるように、ＩＲ検出器１１１とＩＲリピータ１１３とを含み、リモートコントロールユニット１３０から放射されたＩＲ信号１３２をリピートし、そして送信する。ＩＲブラスタ１１４から放射されたリピート型ＩＲ信号１１６と、リモートコントロールユニット１３０から放射されたＩＲ信号１３２との間の干渉を防止するために、例えば、左偏光レンズなどの特定の偏光を有する偏光レンズ１５０が、ＡＶデバイスの（好ましくは、ＡＶデバイス１２０上の）ＩＲ検出器１２２の前で位置決めされ、そしてＡＶデバイス１２０のＩＲ検出器１２２の前で位置決めされたレンズ１５０と反対の偏光である、例えば、右偏光レンズなどの特定の偏光を有する偏光レンズ１３１が、リモートコントロールユニット１３０上のそのＩＲ放射器の前で位置決めされる。あるいは、リモートコントロールユニット１３０の発光ダイオードの放射器が、ＡＶデバイス１２０のＩＲ検出器１２２の前で位置決めされたレンズ１５０と反対の偏光である特定の偏光を有する。動作において、ＩＲブラスタ１１４が放射するリピート型ＩＲ信号１１６は、ランダムに偏光されており、左偏光型（ｐｏｌａｒｉｚｅｄ）レンズ１５０を介して、部分的に減衰された信号１５２としてＡＶデバイスのＩＲ検出器１２２上に伝わる。リモートコントロールユニット１３０から放射された右偏光型ＩＲ信号１３２は、左偏光型レンズ１５０によってブロックされる。
【００１５】
ＴＶリモートコントロールの代わりに、特定のＡＶデバイス専用のリモートコントロールをユーザが用いることを所望する場合において、問題になることはない。なぜならば、ＡＶデバイス専用のリモートコントロールからのＩＲ信号は、一般的にランダムに偏光されており、従って、左偏光子を最小限の減衰で通過するからである。
【００１６】
代替の実施形態において、リモートコントロールユニットキットが提供され、該キットは、ＴＶと複数のＡＶデバイスとを制御するようにプログラム可能な汎用のリモートコントロールユニットと、リモートコントロールユニットのＩＲ放射器の前でリモートコントロールユニットに連結可能な右偏光レンズと、ＩＲブラスタのＩＲ放射器とＡＶデバイスのＩＲ検出器との間で位置決め可能な左偏光レンズとを含んでいる。あるいは、左偏光レンズは、ＩＲブラスタのＩＲ放射器の前でＩＲブラスタか、またはＡＶデバイスのＩＲ検出器の前でＡＶデバイスに連結可能であり得る。さらなる代替案において、該キットは、第一および第二の反対の偏光の偏光レンズを備え得、該第一のレンズは、リモートコントロールユニットのＩＲ放射器の前でリモートコントロールユニットに連結可能であり、該第二のレンズは、制御されるデバイスのＩＲ検出器の前で位置決め可能である。
【００１７】
上記の明細書中において、本発明は、その特定の実施形態に関して記載されてきた。しかしながら、それらに対する様々な修正および変更が、本発明の広い精神および範囲から逸脱することなく、行われ得ることは明らかである。例えば、読者は、本明細書中に記載されたプロセスフロー図に示されているプロセス動作の特定の順序および組み合わせが、特に断らない限り、単に例示的なものに過ぎず、そして本発明は、異なるプロセス動作または追加的なプロセス動作を用いて実行され得ること、あるいは、プロセス動作の異なる組み合わせまたは順序を用いて実行され得ることを理解するであろう。別の例として、一実施形態の各特徴は、混合されたり、その他の実施形態に示されているその他の特徴に適合されたりし得る。当業者に公知である特徴およびプロセスも同様に、必要に応じて組み込まれ得る。さらに、そして明らかなこととして、特徴は、必要に応じて追加または削除され得る。したがって、本発明は、添付の特許請求の範囲とその均等物とを考慮することを除いて限定されるべきではない。
【符号の説明】
【００１８】
１０  テレビジョン
１１  ＩＲ信号検出器
１２  ＩＲブラスタケーブル
１３  ＩＲリピータ
１４  ＩＲブラスタ
１６  リピート型ＩＲ信号
２０  ＡＶデバイス
２２  ＩＲ信号検出器
３０  ＴＶリモートコントロールユニット
３２  ＩＲ信号
１１０  テレビジョン
１１１  ＩＲ信号検出器
１１２  ＩＲブラスタケーブル
１１３  ＩＲリピータ
１１４  ＩＲブラスタ
１１６  リピート型ＩＲ信号
１２０  ＡＶデバイス
１２２  ＩＲ信号検出器
１３０  ＴＶリモートコントロールユニット
１３１  右偏光レンズ
１３２  右偏光型ＩＲ信号
１５０  左偏光レンズ
１５２  ＩＲ信号
【図１】
2010063100.tif 000003
【図１Ａ】
2010063100.tif 000004
【図２】
2010063100.tif 000005
【図２Ａ】
2010063100.tif 000006